(57)【要約】【課題】日本人の体型・骨格等に最適な着座姿勢を無理なく採ることができる、背もたれのないスツールを提供すること。【解決手段】使用者Ｍの臀部Ｂ及び大腿部Ｆの全体を支える平坦な座面１１を有する座部１と、座部１を所定の高さに支える脚部２とから成る健康スツール１０であって、座面１１が前方に向かって下方へ角度α傾斜し、座面１１の前部１２が、使用者Ｍが座面１１に臀部Ｂ及び大腿部Ｆの全体を載せて着座して下腿部Ｌを略鉛直下方へ下したときに足が床面に接地する高さＨに設定されている。【選択図】図４
0003224158.tif 000002
【実用新案登録請求の範囲】
【請求項１】
使用者の臀部及び大腿部の全体を支える平坦な座面を有する座部と、前記座部を所定の高さに支える脚部とから成るスツールであって、
前記座面が前方に向かって下方へ傾斜し、
前記座面の前部が、使用者が前記座面に臀部及び大腿部の全体を載せて着座して下腿部を略鉛直下方へ下したときに足が床面に接地する高さに設定されていることを特徴とした健康スツール。
【請求項２】
前記座面の傾斜角度が６°〜９°である請求項１に記載の健康スツール。
【請求項３】
前記脚部が前脚と後脚とから成り、
前記前脚及び前記後脚にそれぞれ、高さ調節手段が設けられていることを特徴とした請求項１または請求項２に記載の健康スツール。
【考案の詳細な説明】
【技術分野】
【０００１】
本考案は、健康スツール、より詳しくは、特に日本人の体型・骨格等に最適な着座姿勢を無理なく採ることができる、背もたれのないスツールに関するものである。
【背景技術】
【０００２】
元来、日本人は、床や畳上に正座や胡坐で座る習慣を有し、骨盤を立てて背すじを真直ぐ伸ばして座ることを自然に身に付けていた。ところが、生活様式の洋風化に伴い、椅子に座る習慣が広く一般化し、最近では、正座をすること自体が困難な者も珍しくない。
【０００３】
このような背すじを伸ばして正座をする機会の少なくなった日本人が、座面の水平な一般的な椅子に座る場合、その多くが、図６（ａ）に示すように、椅子Ｃに浅く腰掛け、骨盤Ｐが後方へ倒れてしまう傾向があり、Ｓ字カーブを描く背骨Ｓの特に前湾部ｆに過度な負担がかかり、将来的に慢性的な腰痛等を招く原因にもなった。これに対し、図６（ｂ）に示すように、骨盤Ｐを立てて椅子Ｃに深く腰掛ければ、背骨Ｓの前湾部ｆのカーブも適正に保たれ、腰部等への負担も少なくなり、健康上望ましい。
【０００４】
ところで、日本人と西洋人との体型・骨格等の相違点については、農耕民族と狩猟民族との対比からも説明されるが、一般的に西洋人は、日本人に比べて、身体の後側の筋肉が発達し、背骨のＳ字カーブも深い傾向がある。したがって、西洋人の場合、座面の水平な椅子に座る場合、特に意識せずとも、図６（ｂ）に示すように、骨盤Ｐを立てて椅子Ｃに深く腰掛けることができるのに対して、日本人の場合、図６（ａ）に示すように、骨盤Ｐを後方へ倒して椅子Ｃに浅く腰掛けてしまう傾向があった。
【０００５】
このように座面が水平な椅子は、西洋人には適したものであっても、必ずしも日本人にとっては、その体型・骨格等に最適な着座姿勢を採ることができるものではなかった。
【０００６】
現在までに、座面を傾斜させた椅子が種々提案されている（例えば、下記特許文献１、２）。しかしながら、これら従来の椅子は、その背もたれ部で体幹をサポートすることにより腰部等の負担を軽減させるものであり、自立的に骨盤を立てて背すじを真直ぐ伸ばして着座することを目的とするものではなかった。また、これら従来の椅子は、座面に凹凸部があり、腰部等の負担を軽減できる半面、これら凹凸部により大腿部の裏側が局部的に圧迫されたり、骨盤の坐骨に過度の加重が加わってしまう難点があった。
【先行技術文献】
【特許文献】
【０００７】
【特許文献１】特開２０００−６０６７９号公報
【特許文献２】特開２０１８−１６６６９６号公報
【考案の概要】
【考案が解決しようとする課題】
【０００８】
本考案は、従来の椅子に上記のような難点があったことに鑑みて為されたもので、日本人の体型・骨格等に最適な着座姿勢を無理なく採ることができ、健康増進に資する背もたれのない健康スツールを提供することを課題とする。
【課題を解決するための手段】
【０００９】
本考案者は、元来、日本人が生活習慣の中で身に付けていた正座時の姿勢に注目し、特に正座時における大腿部の水平面に対する傾斜角度が重要であるとの知見を得て上記課題を解決するに至った。
【００１０】
即ち、本考案は、使用者の臀部及び大腿部の全体を支える平坦な座面を有する座部と、前記座部を所定の高さに支える脚部とから成るスツールであって、
前記座面が前方に向かって下方へ傾斜し、前記座面の前部が、使用者が前記座面に臀部及び大腿部の全体を載せて着座して下腿部を略鉛直下方へ下したときに足が床面に接地する高さに設定されていることを特徴としている。
【００１１】
また、本考案は、前記座面の傾斜角度が６°〜９°であることを特徴としている。
【００１２】
また、本考案は、前記脚部が前脚と後脚とから成り、前記前脚及び前記後脚にそれぞれ、高さ調節手段が設けられていることを特徴としている。
【考案の効果】
【００１３】
本考案に係る健康スツールは、その座面が前方に向かって下方へ傾斜しているので、使用者はその膝裏を座面の前部に軽く当接させて座面上に腰掛けるだけで、正しく正座した際の大腿部の傾斜角度を容易に再現することができ、日本人の体型・骨格等に最適な着座姿勢を無理なく採ることができる。
【図面の簡単な説明】
【００１４】
【図１】本実施形態の健康スツールの側面図である。
【図２】本実施形態の健康スツールの正面図である。
【図３】本実施形態の健康スツールの平面図である。
【図４】本実施形態の健康スツールに使用者が着座した状態を示す側面図である。
【図５】使用者の正座姿勢を示す側面図である。
【図６】使用者が従来の椅子に着座した状態を示す側面図であり、（ａ）椅子に浅く腰掛けた状態の側面図、（ｂ）椅子に深く腰掛けた状態の側面図である。
【考案を実施するための形態】
【００１５】
図１〜図４に示すように、本実施形態の健康スツール１０は、使用者の臀部及び大腿部を支える座面１１を有する座部１と、この座部１を床面から所定の高さに支える脚部２とから構成されており、背もたれ部は備えていない。
【００１６】
本実施形態の座部１は、平板状の木板材から成り、その上面に、平坦な座面１１が形成されている。この座面１１によって、図４に示すように、着座した使用者Ｍの臀部Ｂ及び大腿部Ｆの全体を支える。
【００１７】
この座面１１は、前方に向かって下方へ角度αだけ傾斜している。そして、座面１１の前部１２の床面からの高さＨは、使用者Ｍが座面１１に臀部Ｂ及び大腿部Ｆの全体を載せて着座して下腿部Ｌを略鉛直下方へ下したときに足が床面に接地する高さに設定されている。また、座部１は、図３に示すように、座面１１の前部１２の幅が後部１３の幅よりも大きくされ、略等脚台形状に形成されている。
【００１８】
本実施形態の脚部２は、木角材から成り、その上端部が上記座部１の下面に接続固定されている。また、本実施形態の脚部２は、左右一対の前脚２１・２１と、左右一対の後脚２２・２２とから成り、これら計４本の前脚２１及び後脚２２の間には、木角材から成る複数の横架材２３が架設されており、これら前脚２１及び後脚２２を補強している。
【００１９】
また、これら前脚２１及び後脚２２の下端部にはそれぞれ、高さ調節手段３として従来公知のアジャスタ付きゴム足３１・３２が設けられている。これら前脚２１のゴム足３１及び後脚２２のゴム足３２のいずれか一方を適宜、螺進退させることによって座面１１の傾斜角度αを調節することができ、また、前脚２１のゴム足３１及び後脚２２のゴム足３２の両方を螺進退させることによって座面１１の前部１２の高さＨを調節することができる。
【００２０】
なお、本実施形態では、座面１１の傾斜角度αを６.５°としているが、本考案における傾斜角度αは、６°〜９°が好ましい。傾斜角度αが６°未満であると、着座時に骨盤Ｐを立て難くなる。他方、傾斜角度αが９°を超えると。着座時に臀部Ｂ及び大腿部Ｆが座面１１上で下方へ滑り易くなり、着座姿勢の安定性を損うことになる。座面１１の傾斜角度αは、座面１１の材質、表面状態や、使用者Ｍの体格等に応じて６°〜９°の範囲で適宜、設定することができる。
【００２１】
以上のように構成された本実施形態の健康スツール１０に対し、図４に示すように、使用者Ｍは、その膝裏を座面１１の前部１２に軽く当接させて、座面１１上に腰掛けるだけで、容易に骨盤を立てて背すじを真直ぐ伸ばした姿勢で着座することが可能となる。つまり、健康スツール１０は、座面１１が前下がりに傾斜しているので、使用者Ｍが着座した際、大腿部Ｆを角度βだけ前下がり状態に保つことができ、図５に示すように、骨盤を立てて背すじを真直ぐ伸ばして正座した際の大腿部Ｆの水平面に対する傾斜角度βを、健康スツール１０上で容易に再現することができるのである。
【００２２】
したがって、この健康スツール１０によれば、日本人の体型・骨格等に最適な着座姿勢を容易に採ることができ、たとえ正座する習慣がなくても、或いは、膝関節や足首等に機能障害等があり、実際に正座することができなくても、骨盤を立てて背すじを真直ぐ伸ばした着座姿勢を容易に身に付けることができ、ひいては、座面の水平な一般的な椅子にも骨盤を立てて腰掛ける習慣を容易に得ることが可能となる。
【００２３】
しかも、本実施形態の健康スツール１０によれば、平坦な座面１１によって使用者Ｍの臀部Ｂ及び大腿部Ｆの全体を支え、更に、座面１１の前部１２の床面からの高さＨが、使用者Ｍが座面１１に着座して下腿部Ｌを略鉛直下方へ下したときに足が床面に接地する高さに設定されているので、この座面１１により使用者Ｍの臀部Ｂ及び大腿部Ｆの全体をほぼ均等に支えることができ、従来品のように、大腿部の裏側が局部的に圧迫されたり、骨盤の坐骨に過度の加重が加わる難点もなく、日本人の体型・骨格等に最適な着座姿勢を無理なく採ることができる。
【００２４】
さらに、本実施形態の健康スツール１０によれば、脚部２の前脚２１及び後脚２２にそれぞれ、高さ調節手段３を設けているので、これら前脚２１及び後脚２２の高さ調節手段３をそれぞれ操作することにより、座面１１の傾斜角度α及び高さＨを適宜、独立して調節することができ、使用者Ｍの個体差に対応可能な健康スツールを、構成の複雑化を伴なうことなく安価に提供することができる。
【００２５】
以上、本実施形態の健康スツール１０について説明したが、本考案は他の実施形態でも実施することができる。
【００２６】
例えば、上記実施形態では、座部１及び脚部２を木材で形成しているが、本考案はこれに限定されるものではなく、例えば、金属材や合成樹脂材等で形成してもよい。また、座部１及び脚部２を一体に形成してもよい。
【００２７】
また、上記実施形態では、高さ調節手段３として、前脚２１及び後脚２２の下端部にそれぞれ設けたアジャスタ付きゴム足３１・３２を採用しているが、本考案は勿論、これに限定されるものではなく、例えば、座部１と脚部２との間に、高さ調節手段３として送りねじ機構等を備えた昇降装置を配設し、使用者Ｍが座面１１に着座したまま、座面１１の傾斜角度α及び高さＨを調節し得るように構成してもよい。
【００２８】
本考案は、その他、その趣旨を逸脱しない範囲内で、当業者の知識に基づいて種々の改良、修正、変形を加えた態様で実施し得るものである。また、同一の作用又は効果が生じる範囲内でいずれかの考案特定事項を他の技術に置換した形態で実施してもよく、また、一体に構成されている考案特定事項を複数の部材から構成したり、複数の部材から構成されている考案特定事項を一体に構成した形態で実施してもよい。
【符号の説明】
【００２９】
１０  健康スツール
１  座部
１１  座面
１２（座面の）前部
２  脚部
２１  前脚
２２  後脚
３  高さ調節手段
α（座面の）傾斜角度
Ｈ（座面の前部の）高さ
Ｍ  使用者  
Ｂ（使用者の）臀部
Ｆ（使用者の）大腿部
Ｌ（使用者の）下腿部
【図１】
0003224158.tif 000003
【図２】
0003224158.tif 000004
【図３】
0003224158.tif 000005
【図４】
0003224158.tif 000006
【図５】
0003224158.tif 000007
【図６】
0003224158.tif 000008